(57)【要約】  【課題】  建物等からの受電を不要とし、停電時においても防水板を自動で起立できて建物の入口開口部を閉鎖可能とした防水装置を提供する。  【解決手段】    防水板３の起伏動作用の油圧シリンダー１８に作動油を供給する可搬式の油圧ポンプ２７を備え、前記油圧シリンダー１８には作動油供給管２３を連結し、この作動油供給管２３の途中には作動油の流路を開閉する開閉バルブ２４を介在させると共に、他端部には前記油圧ポンプ２７の作動油吐出管３３と着脱自在に接続可能な接続具２５を備える。そして、前記防水板３を起伏させるときには、前記作動油供給管２３と前記油圧ポンプ２７の作動油吐出管３３とを接続し、前記油圧ポンプ２７から前記油圧シリンダー１８への作動油の給排に応じて前記防水板３を起伏自在とする。【選択図】  図５
0003215232.tif 000002
【実用新案登録請求の範囲】
【請求項１】
建物などの入口の両側壁面に一対の支柱を対向立設し、該各支柱間の床面下には油圧シリンダーにて起伏動作する防水板を備え、該防水板を床面より垂直に起立させたときには前記支柱と可撓性部材を介して当接し、防水板を倒伏させたときには床面と水平となるようにした防水装置であって、前記油圧シリンダーに作動油を供給する可搬式の油圧ポンプを備え、前記油圧シリンダーには作動油供給管を連結し、該作動油供給管の途中には作動油の流路を開閉する開閉バルブを介在させると共に、他端部には前記油圧ポンプの作動油吐出管と着脱自在に接続可能な接続具を備え、前記防水板を起伏させるときには前記作動油供給管と前記油圧ポンプの作動油吐出管とを接続し、前記油圧ポンプから前記油圧シリンダーへの作動油の給排に応じて前記防水板を起伏自在としたことを特徴とする防水装置。
【請求項２】
前記防水板を起立方向に回動付勢して起立動作を補助するねじりコイルバネを備えたことを特徴とする請求項１記載の防水装置。
【考案の詳細な説明】
【技術分野】
【０００１】
本考案は、台風や集中豪雨等による増水発生時に、地下道や建物等の構造物の出入口から構造物内部へ浸水するのを防止する防水装置に関する。
【背景技術】
【０００２】
台風や集中豪雨等によって増水が発生すると、地下道や建物等の構造物の出入口の床面を水位が超えてしまう場合があり、その際には前記構造物内部が浸水するなどして甚大な被害を及ぼすおそれがある。そこで、このような事態に備えて、従来、地下道や建物等の構造物の入口開口部に浸水防止用の防水装置を設置して浸水を阻止するようにしたものがあり、本出願人も建物などの入口開口部に起伏式の防水装置を設置し、増水時には作業者が付属の駆動モータを駆動させることで防水板を自動で起立させ、比較的短時間にて前記入口開口部を閉鎖するようにした防水装置を出願済みである（特許文献１参照）。
【先行技術文献】
【特許文献】
【０００３】
【特許文献１】特開２００５−１２０７６８号公報
【考案の概要】
【考案が解決しようとする課題】
【０００４】
しかしながら、上記従来の防水装置では、建物等からの供給電力で駆動する駆動モータにて防水板を起立させるようにしているので、台風や集中豪雨等の影響から万一建物が停電すると前記駆動モータを駆動できず、少なくとも自動では防水板を起立させることができなくなる可能性がある。また、前記防水装置を設置する際には建物から前記駆動モータへの配線工事が必要となり、それなりに手間を要して設置費用が高騰する上、建物外観の意匠性が損なわれる懸念もある。
【０００５】
本考案は上記の点に鑑み、建物等からの受電を不要とし、停電時においても防水板を自動で起立できて建物の入口開口部を閉鎖可能とした防水装置を提供することを課題とする。
【課題を解決するための手段】
【０００６】
上記の課題を解決するために、本考案に係る請求項１記載の防水装置では、建物などの入口の両側壁面に一対の支柱を対向立設し、該各支柱間の床面下には油圧シリンダーにて起伏動作する防水板を備え、該防水板を床面より垂直に起立させたときには前記支柱と可撓性部材を介して当接し、防水板を倒伏させたときには床面と水平となるようにした防水装置であって、前記油圧シリンダーに作動油を供給する可搬式の油圧ポンプを備え、前記油圧シリンダーには作動油供給管を連結し、該作動油供給管の途中には作動油の流路を開閉する開閉バルブを介在させると共に、他端部には前記油圧ポンプの作動油吐出管と着脱自在に接続可能な接続具を備え、前記防水板を起伏させるときには前記作動油供給管と前記油圧ポンプの作動油吐出管とを接続し、前記油圧ポンプから前記油圧シリンダーへの作動油の給排に応じて前記防水板を起伏自在としたことを特徴としている。
【０００７】
また、請求項２記載の防水装置では、前記防水板を起立方向に回動付勢して起立動作を補助するねじりコイルバネを備えたことを特徴としている。
【考案の効果】
【０００８】
本考案に係る請求項１記載の防水装置によれば、防水板を起伏動作させる油圧シリンダーに作動油を供給する可搬式の油圧ポンプを備え、前記油圧シリンダーには作動油供給管を連結し、該作動油供給管の途中には作動油の流路を開閉する開閉バルブを介在させると共に、他端部には前記油圧ポンプの作動油吐出管と着脱自在に接続可能な接続具を備え、前記防水板を起伏させるときには前記作動油供給管と前記油圧ポンプの作動油吐出管とを接続し、前記油圧ポンプから前記油圧シリンダーへの作動油の給排に応じて前記防水板を起伏自在としたので、増水時に例え建物が停電しても可搬式の油圧ポンプを用いて支障なく油圧シリンダーを動作させることができ、それによって防水板を自動で起立させて建物の入口開口部を閉鎖して浸水を防止できる。また、防水装置への電力供給用の配線工事が不要となり、設置時間や設置費用を軽減できると共に、建物外観の意匠性の低下を抑制できる。
【０００９】
また、請求項２記載の防水装置によれば、前記防水板を起立方向に回動付勢して起立動作を補助するねじりコイルバネを備えたので、防水板を起立動作させる際の油圧シリンダーの負荷を軽減でき、それによって前記油圧シリンダーと共に油圧ポンプに比較的小型のものが採用可能となり、防水板の起立動作時に持ち運ぶ必要のある前記油圧ポンプを、例え作業者が非力であっても簡単に持ち運べ、即応性の求められる増水発生時にも迅速に対応できて好適である。
【図面の簡単な説明】
【００１０】
【図１】本考案に係る防水装置の一実施例を示す防水板起立時の一部切り欠き正面図である。
【図２】図１の平面図である。
【図３】防水板倒伏時の図２に相当する図である。
【図４】図３の一部を省略したＡ−Ａ断面図である。
【図５】防水板の起立途中時の図４に相当する図である。
【図６】防水板起立時の図４に相当する図である。
【考案を実施するための形態】
【００１１】
本考案に係る防水装置にあっては、建物などの入口の両側壁面に一対の支柱を対向立設し、該各支柱間の床面下には油圧シリンダーにて起伏動作する防水板を備え、該防水板を床面より垂直に起立させたときには前記防水板の上面部が前記支柱と可撓性部材を介して当接して前記入口を閉鎖し、防水板を倒伏させたときには床面と水平となって通行可能な状態となる構成とする。
【００１２】
また、前記油圧シリンダーに作動油を供給するバッテリーを内蔵した可搬式の油圧ポンプを備え、前記油圧シリンダーには作動油供給管を連結し、該作動油供給管の途中には作動油の流路を開閉する開閉バルブを介在させると共に、他端部には前記油圧ポンプの作動油吐出管と着脱自在に接続可能な、例えばカプラと呼ばれる接続具を備える。なお、前記接続具としては、例えば接続時のみ流路が開通し、取り外し時には流路が自動で閉止するセルフシール機能を有したものを採用すると、着脱時における作動油の漏洩を防止できて好ましい。
【００１３】
また、好ましくは、前記防水板を起立方向に回動付勢して起立動作を補助するねじりコイルバネを備えると良く、これによりごく簡単な構成ながら前記防水板を起立動作させる際の前記油圧シリンダーの負荷を軽減でき、油圧シリンダーと共に油圧ポンプに比較的小型のものが採用可能となり、防水板の起立動作時に収納場所から防水装置の設置位置まで持ち運ぶ必要のある前記油圧ポンプを、例え作業者が非力であっても比較的簡単に持ち運べ、即応性の求められる増水発生時にも迅速な対応が可能となる。
【００１４】
そして、台風や集中豪雨等によって増水が生じ、建物などの入口開口部より浸水のおそれがあるときには、作業者は、先ず、収納場所に保管しておいた可搬式の油圧ポンプを前記防水装置の設置場所まで運び出し、該油圧ポンプの作動油吐出管を、前記油圧シリンダーから伸びる作動油供給管に前記接続具を介して接続する。次いで、前記作動油供給管の途中に介した開閉バルブを開操作して流路を開放した後、前記油圧ポンプを駆動して前記油圧シリンダーへ作動油を供給する。このとき、前記油圧ポンプは内蔵したバッテリーにより、例え増水等の影響から建物が停電していても何ら支障なく駆動できる。
【００１５】
そして、前記油圧ポンプより作動油を供給した前記油圧シリンダーでは、供給した作動油量に応じて前記防水板を徐々に押し上げて起立させていく。そして、前記防水板が略垂直に起立し、防水板上面部が前記各支柱と可撓性部材を介して当接して前記入口開口部の閉鎖が完了すると、前記油圧ポンプを停止すると共に、前記開閉バルブを閉操作して作動油の流路を閉鎖した後、前記油圧ポンプの作動油吐出管を前記作動油供給管の接続具から取り外し、前記油圧ポンプは一旦元の収納場所へ戻しておく。
【００１６】
また、建物内への水の浸入のおそれがなくなれば、前記油圧ポンプを再び運び出し、該油圧ポンプの作動油吐出管を前記作動油供給管の接続具に再接続した後、前記開閉バルブを開操作して作動油の流路を開放する。これにより、高圧に維持されていた前記油圧シリンダーより作動油が作動油供給管を介して前記油圧ポンプ側へと排出されていき、それに伴って油圧シリンダーのピストンロッドが短縮して防水板は徐々に倒伏していく。そして、前記防水板が水平に倒伏して建物の入口が通行可能な状態となれば、前記開閉バルブを閉鎖後、前記油圧ポンプの作動油吐出管を前記作動油供給管の接続具から取り外し、前記油圧ポンプを収納場所へと戻して収納する。
【００１７】
このように、本考案の防水装置では、防水板の起伏動作用の油圧シリンダーへ作動油を供給する油圧ポンプの駆動電源として、従来のように建物等から受電するのではなくバッテリー式としたので、例え停電となっても支障なく防水板を自動で起立動作でき、即応性の求められる増水発生時にも比較的短時間にて建物の出入口を閉鎖できて好適である。
【実施例】
【００１８】
以下、本考案の一実施例を図面に基づいて説明する。
【００１９】
図中の１は、本考案に係る防水装置であって、建物などの入口の両側壁面に一対の支柱２を対向立設し、該各支柱２間の床面下には防水板３を起伏自在に備えている。前記防水板３は、その基端部を床面下の格納室４内に設けた一対のヒンジ金具５にて回動自在に取り付けており、該ヒンジ金具５を中心に前記防水板３を床面より垂直に起立させたときには、前記防水板３の上面部が前記支柱２に沿って固着した可撓性部材である水密ゴム６と当接すると共に、前記各支柱２の下部間にも水平に掛け渡した水密ゴム７に当接して前記入口を閉鎖し、前記防水板３を倒伏させたときには、前記防水板３先端側の下面部が前記格納室４内に配置した台座８上に載置されると共に、防水板３の上面部が床面と水平となって前記入口が通行可能な状態となる構成としている。
【００２０】
また、前記格納室４内には前記防水板３の基端縁と平行に軸体９を配し、該軸体９の両端部を一対の軸受１０にて回動自在に軸支している。また、前記軸体９には軸体９の半径方向に伸びる一対のアーム１１を固着し、該アーム１１先端部にはガイドローラ１２を回動自在に軸着している一方、前記防水板３の下面部には防水板３の回動半径方向に沿ってガイドレール１３を備え、該ガイドレール１３に前記アーム１１先端部のガイドローラ１２を摺動自在に係合させている。そして、前記軸体９の回動に伴って前記各アーム１１が揺動すると、該各アーム１１先端部の前記ガイドローラ１２が前記ガイドレール１３に沿って摺動しながら前記防水板３を押し上げたり引き下ろしたりして起伏動作させる構成としている。
【００２１】
また、前記各アーム１１の基端部両側にはそれぞれねじりコイルバネ１４、１５を装着し、該各ねじりコイルバネ１４、１５の一端部を前記格納室４底部に設置したベース部材１６に係止させる一方、他端部を前記アーム１１に固着した係止ピン１７に係止させ、前記各ねじりコイルバネ１４、１５の復元力を利用して前記アーム１１と係合した前記防水板３を起立方向に回動付勢して起立動作を補助するようにしている。
【００２２】
これにより、前記防水板３を起立動作させる際の、後述する油圧シリンダー１８の負荷を軽減でき、該油圧シリンダー１８と共に作動油供給用の油圧ポンプ２７に比較的小型・軽量のものを採用可能とし、例え作業者が非力であっても前記油圧ポンプ２７を簡単に持ち運べて増水時における迅速な止水対応を可能としている。
【００２３】
図中の１８は油圧シリンダーであって、シリンダー本体１９から伸縮するピストンロッド２０の伸縮方向を前記軸体９の軸芯方向に対して略直交方向に、かつ前記ピストンロッド２０先端側を前記軸体９と反対方向に向けて配設している。また、前記ピストンロッド２０先端部と前記軸体９の略中央部とを、図に示すように、リンク材２１、２２にて連結しており、前記油圧シリンダー１８のピストンロッド２０の伸縮動作に応じて前記リンク材２１、２２を介して前記軸体９を回動させることで前記防水板３を起伏動作させる構成としている。
【００２４】
なお、前記油圧シリンダー１８には、例えば、ピストンロッド２０を伸長するときにのみ作動油の供給を要し、供給した作動油を抜き取ればシリンダー本体１９に内蔵したスプリング（図示せず）の復元力によってピストンロッド２０を元の長さに短縮可能な単動型のシリンダーを採用すると、ピストンロッド短縮動作用の配管が不要となって一本の作動油供給管だけで済み、比較的簡単な構成となる。
【００２５】
また、前記シリンダー本体１９には、例えばゴムホース等の作動油供給管２３を連結し、該作動油供給管２３の途中には作動油の流路を開閉する開閉バルブ２４を介在させると共に、他端部にはセルフシール機能を具備した金属製の接続具２５を備えている。なお、前記開閉バルブ２４や接続具２５の上位開口部にはカバー体２６を開閉自在に備えている。
【００２６】
図中の２７はバッテリーを内蔵した可搬式の油圧ポンプであって、ポンプ本体２８の上面に駆動スイッチ２９と、作業者が持ち運ぶ際に把持する取手３０とをそれぞれ備えていると共に、下部には少なくとも前記油圧シリンダー１８のピストンロッド２０を伸長させるのに必要な量の作動油を貯蔵する作動油タンク３１を備えている。また、前記ポンプ本体２８の一側面には充電式のバッテリー本体３２を備えていると共に、他方の側面には作動油吐出用の、例えばゴムホース等の作動油吐出管３３を連結しており、該作動油吐出管３３先端部と前記作動油供給管２３とを前記接続具２５を介して着脱自在に接続可能としている。
【００２７】
また、図中の３４は前記作動油吐出管３３から作動油タンク３１への戻り油路（図示せず）を開閉操作する開閉レバーであって、前記油圧ポンプ２７駆動時に作動油タンク３１から作動油を吐出するときには前記開閉レバー３４を閉操作しておき、前記油圧ポンプ２７停止時に前記開閉レバー３４を開操作すれば作動油吐出管３３から作動油を作動油タンク３１内に戻せる構造としている。
【００２８】
そして、上記構成の防水装置１にて増水時に建物の入口開口部を閉鎖するときには、作業者は、先ず、収納場所に保管しておいた可搬式の油圧ポンプ２７を前記防水装置１の設置場所まで運び出す。次いで、前記カバー体２６を取り外し、前記油圧ポンプ２７の作動油吐出管３３と、前記油圧シリンダー１８から伸びる作動油供給管２３他端部の接続具２５とを接続する。そして、前記接続具２５下流側の開閉バルブ２４を開操作して流路を開放した後、前記油圧ポンプ２７の開閉レバー３４を閉操作した上で油圧ポンプ２７を駆動し、前記作動油タンク３１内の作動油を油圧シリンダー１８へと供給する。このとき、前記油圧ポンプ２７は内蔵したバッテリーにより、例え増水等の影響から建物が停電していても何ら支障なく安定して駆動できる。
【００２９】
そして、前記油圧ポンプ２７より作動油を供給した前記油圧シリンダー１８では、供給した作動油量に応じて前記ピストンロッド２０が伸長していき、該ピストンロッド２０に連結したリンク材２１、２２を介して前記軸体９が回動し、該軸体９の回動に伴って揺動する前記アーム１１が、前記各ねじりコイルバネ１４、１５の補助を受けながら前記防水板３を押し上げるようにして起立させていく。そして、前記防水板３が略垂直に起立し、防水板上面部が前記各支柱２に固着した水密ゴム６、及び前記各支柱２の下部間に掛け渡した水密ゴム７と当接して前記入口開口部の閉鎖が完了すると、前記油圧ポンプ２７を停止すると共に、前記開閉バルブ２４を閉操作して作動油の流路を閉鎖した後、前記作動油供給管２３の接続具２５から前記油圧ポンプ２７の作動油吐出管３３を取り外し、前記油圧ポンプ２７は一旦元の収納場所へと戻しておく。
【００３０】
また、建物内への水の侵入のおそれがなくなれば、前記油圧ポンプ２７を再び運び出し、該油圧ポンプ２７の作動油吐出管３３と作動油供給管２３とを再接続した後、前記開閉バルブ２４を開操作して作動油の流路を開放すると共に、前記油圧ポンプ２７の開閉レバー３４を開操作してポンプ本体２８内の戻り油路を開放する。これにより、前記シリンダー本体１９内のスプリングの復元力によってシリンダー本体１９内の作動油を前記油圧ポンプ２７の作動油タンク３１へと押し戻し、それに伴って前記ピストンロッド２０が短縮して前記防水板３は倒伏していく。このとき、前記防水板３には前記各ねじりコイルバネ１４、１５による起立方向への付勢力が働いているため、前記油圧シリンダー１８からの支持力が弱まっても一気に倒伏することなく比較的ゆっくりと倒伏していき、作業安全上好適である。
【００３１】
そして、前記防水板３が最終的に自重にて水平に倒伏して建物の入口が通行可能な状態となれば、前記開閉バルブ２４を閉鎖後、前記作動油供給管２３の接続具２５から前記油圧ポンプ２７の作動油吐出管３３を取り外し、前記カバー体２６を閉鎖すると共に、前記油圧ポンプ２７を収納場所へと戻して収納する。
【符号の説明】
【００３２】
１…防水装置                    ２…支柱
３…防水板                      ６、７…水密ゴム（可撓性部材）
９…軸体                        １１…アーム
１２…ガイドローラ              １３…ガイドレール
１４、１５…ねじりコイルバネ    １８…油圧シリンダー
２１、２２…リンク材            ２３…作動油供給管
２４…開閉バルブ                ２５…接続具
２７…油圧ポンプ                ３３…作動油吐出管
【図１】
0003215232.tif 000003
【図２】
0003215232.tif 000004
【図３】
0003215232.tif 000005
【図４】
0003215232.tif 000006
【図５】
0003215232.tif 000007
【図６】
0003215232.tif 000008